(57)【要約】【課題】容器を開閉するためにキャップ本体を回転操作した際、容器本体にキャップ本体を係留するための係留紐状体が容器本体に絡みつかない構造を備え、なお且つ少ない部品定数で構成される容器用キャップの提供を目的とする。【解決手段】キャップ本体１を容器本体５に係留する係留紐状体３と該係留紐状体３の一端をキャップ本体１に連結する環状留具２とを備えた容器用のキャップ１１であって、環状に形成した前記環状留具２の円周の一箇所を切り離して、該切り離した両端部に前記係留紐状体３の端部を係止する係止部４ａ、４ａを形成して対峙し、前記キャップ本体１の頭部に前記環状留具２の環状部分を係合する環状溝７を形成して、該環状溝７に前記環状留具２を遊嵌し、前記係止部４ａ、４ａを接合させるように、前記係留紐状体３の一端を前記係止部４ａ、４ａに係止して回動機構を形成した。【選択図】    図１
2004224380.tif 000002
【特許請求の範囲】
【請求項１】
キャップ本体を容器本体に係留する係留紐状体と該係留紐状体の一端をキャップ本体に連結する環状留具とを備えた容器用のキャップであって、
環状に形成した前記環状留具の円周の一箇所を切り離して、該切り離した両端部に前記係留紐状体の端部を係止する係止部を形成して対峙し、
前記キャップ本体の頭部に前記環状留具の環状部分を係合する環状溝を形成した容器用キャップ。
【請求項２】
請求項１に記載の容器用キャップを用いた容器。
【請求項３】
前記環状留具が弾性材で形成された
請求項１記載の容器用キャップ。
【発明の詳細な説明】
【０００１】
【発明の属する分野】
この発明は、例えば容器本体にキャップ本体を係留するための構造を備えたような容器用キャップ及び容器に関する。
【０００２】
【従来の技術】
従来、容器本体にキャップ本体を係留するための構造を備えたような技術としては、ペットボトルを収納する収納体に、収納体に連結した紐部、紐部に連結したキャップ保持可能な保持部とを備えたペットボトル用携帯具が提案されているが、前記保持部は、所定の伸縮性を備えたゴムバンドで形成されていて、キャップを締め付ける形態で保持しようとするものである（特許文献１参照）。
【０００３】
前述した従来例の場合、キャップを保持する保持部が、キャップの回転方向に対してキャップに固定された状態であるので、ペットボトルを開閉するためにキャップの回転操作を行うと、保持部と伴に該保持部に連結した紐も共回りし、該紐がペットボトル本体に絡みついてしまい、キャップの回転操作時に煩わしい思いをせねばならず機能性に問題点を有する。
【０００４】
他にも、図７に示すように、円筒状に形成したキャップ本体２１を容器本体２６に係留する紐２４と、該紐２４の一端をキャップ本体２１に連結する環状に形成した留具２２を備え、キャップ本体２１に留具２２の離脱を防止するための円筒状に形成した部品２３を装着することにより、キャップ本体２１の開口部に留具２２を係合するための環状の溝２５を形成した容器用キャップも従来存在する。
【０００５】
しかし、この従来例の容器用キャップの場合、環状の溝２５を形成し、且つ環状の留具２２の離脱を防止しするための部品２３を必要とし、その結果キャップを構成する部品定数が多くなり、部品生産におけるコスト及び組み立てにおける効率性の面で満足なパフォーマンスを得られないという問題点を有する。
【０００６】
【特許文献１】
特開２００１−１０６２７２号公報。
【０００７】
【発明が解決しようとする課題】
そこでこの発明は、上記問題に鑑み、容器を開閉するためにキャップ本体を回転操作した際、容器本体にキャップ本体を係留するための係留紐状体が容器本体に絡みつかない構造を備え、なお且つ少ない部品定数で構成される容器用キャップの提供を目的とする。
【０００８】
【課題を解決するための手段】
この発明は、キャップ本体を容器本体に係留する係留紐状体と該係留紐状体の一端をキャップ本体に連結する環状留具とを備えた容器用のキャップであって、環状に形成した前記環状留具の円周の一箇所を切り離して、該切り離した両端部に、前記係留紐状体の端部を係止する係止部を形成して対峙し、前記キャップ本体の頭部に前記環状留具の環状部分を係合する環状溝を形成した容器用のキャップであることを特徴とする。発明の形態として前記容器用キャップを用いた容器を構成することができる。さらに、前記環状留具を弾性材で形成することができる。
【０００９】
【発明の作用及び効果】
この発明によれば、環状溝と環状留具とでキャップ本体の頭部に形成される回動機構の作用により、容器本体に前記キャップ本体を係留する係留紐状体が定位置にある状態で前記キャップ本体の回転が許容され、容器の開閉をするために前記キャップ本体を回転操作した際、前記キャップ本体に連結した前記係留紐状体が前記キャップ本体の回転に伴って共回りすることがない。これにより、前記係留紐状体が前記容器本体に絡みつくことがなくなり、従来技術のようなキャップの回転操作時における煩わしさが解消され機能的である。
【００１０】
しかも、前述の回動機構を形成する際、環状留具は材料弾性を利用して切り離し部分の拡幅が許容されるので、環状溝に容易にはめ込むことが許容され、なお且つ該はめ込み後、前記環状留具の対峙する係止部を接合させるように、前記係止部に前記係留紐状体の一端を係止して連結するので、前記環状留具の切り離し部分が開くことがない。これにより、前記環状留具は前記環状溝から外れることなく、不測に抜けることがない。つまり、前述のような回動機構を構成する上で従来必要とされていた、環状溝を形成し、且つ環状留具の離脱を防止するための部品を必要とせず、キャップを構成する部品定数を減少させることが可能となり、部品生産コストの縮減及び組み立ての効率の向上を達成することができる。
【００１１】
【発明の実施の形態】
この発明の一実施形態を以下図面と共に説明する。
本実施形態の容器用キャップ１１は、図１に示すように、キャップ本体１、環状に形成した留具２、紐３を備えている。
【００１２】
また、前記容器用キャップ１１を用いるポット６は、図２に示すように、前記容器用キャップ１１とポット本体５とで形成している。
【００１３】
前記キャップ本体１は、図３に示すように、前記キャップ本体１の頭部に環状の角溝７を形成し、前記キャップ本体１の内部に、ポット本体５の注出口１０の下部に形成したネジ部９ｂと螺合するネジ部９ａを形成している。
【００１４】
前記留具２は、合成樹脂で形成され、円周の一箇所を切り離し、該切り離した両端部に互いに対峙する一対の係止部４ａ、４ａを形成し、前記留具２の環状部分の内側円周に沿って、前記角溝７と遊嵌する環状の角鍔８を形成している。
【００１５】
前記留具２の切り離し部分は材料弾性によって拡幅が許容され、該切り離し部分を拡幅して前記鍔８を前記溝７に嵌合することで、前記留具２は前記キャップ本体１に図３のように取り付けられる。また、前記係止部４ａ、４ａには、前記紐３の一端を挿通するための紐挿通孔４ｃ、４ｃをそれぞれ形成している。
【００１６】
前記紐３は、前記キャップ本体１を前記ポット本体５に係留するための手段で、前述のキャップ本体１に嵌合された留具２の係止部４ａ、４ａに前記紐３の一端を係止することで、前記留具２を介してキャップ本体１に連結している。
【００１７】
また、前記ポット本体５は、図４及び図５にも示すように、前記ポット本体５の側部に、前記紐３の他端を係止する係止部４ｂを形成し、前記ポット本体５の頭部に注出口１０を形成し、前記注出口１０の下部に、前記キャップ本体１のネジ部９ａと螺合するネジ部９ｂを形成している。
【００１８】
図２に示すように、前記ポット６において、前記紐３は、前記紐３の他端を前記ポット本体５の側部の係止部４ｂに係止することで連結している。この連結により、前記キャップ本体１は前記ポット本体５に係留されている。さらに、前記キャップ本体１は、前記キャップ本体１の内部のネジ部９ａと前記ポット本体５の注出口１０の下部のネジ部９ｂとで前記ポット本体５に螺合されている。また、前述の螺合構造により、前記キャップ本体１の回転操作によって前記ポット６の開閉（前記注出口１０の開閉）が許容されている。
【００１９】
前記容器用キャップ１１において、前記留具２は、図３に示すように、前記キャップ本体１の頭部に形成した環状の角溝７に、前記環状の角鍔８を嵌合することで遊嵌され、前記キャップ本体１に対して回動自在になっている。
【００２０】
前記ポット６において、前述した前記キャップ本体１の頭部に設けられた回動機構の作用により、前記キャップ本体１を前記ポット本体５に係留する紐３が定位置にある状態で、前記キャップ本体１の回転操作が許容される。
【００２１】
この構成により、前記ポット６の開閉をするために前記キャップ本体１の回転操作をした際、前記キャップ本体１に連結した前記紐３が、前記キャップ本体１の回転に伴って共回りすることがなくなり、前記紐３が前記ポット本体５に絡みついたりすることがなくなる。
【００２２】
しかも、前述の回動機構を形成する際、前記留具２の材料弾性を利用することで、図６に示すように前記留具２の切り離し部分の拡幅が許容され、該切り離し部分を拡幅することで前記留具２を前記角溝７に容易に嵌め込むことが許容される。
【００２３】
さらに、前記嵌め込み後、互いに対峙する前記係止部４ａ、４ａの紐挿通口４ｃ、４ｃに前記紐３の一端を挿通し、前記係止部４ａ、４ａを接合するように前記紐３の一端を前記係止部４ａ、４ａに係止する。
この構成により、前記留具２の切り離し部分が開くことがないので、前記留具２が前記角溝７から外れることがなく、不測に抜けることがない。
【００２４】
以上のように、本実施形態では、従来技術のようなキャップ本体１の回転操作時にポット本体５に紐３が絡みつくといった煩わしさが解消され機能的である。
しかも、前述のような回動機構を構成する上で従来必要とされていた、環状の角溝７を形成し、且つ環状の留具２の離脱を防止する部品を必要とせず、容器用キャップ１１を構成する部品定数を減少させることが可能となり、部品の生産コストの縮減及び組み立ての効率の向上を達成することができる。
【００２５】
この発明の構成と実施形態との対応において、この発明の容器は、実施形態のポット６に対応し、
以下同様に、
容器本体は、ポット本体５に対応し、
係留紐状体は、紐３に対応し、
環状留具は、留具２に対応し、
環状溝は、角溝７に対応するも、
この発明は、上述の実施形態の構成のみに限定されるものではない。
【００２６】
例えば、上述のポット６を、水筒、魔法瓶、ペットボトル等の様々な容器としてよい。さらに、キャップ本体１及びポット本体５の形状も様々な形態を用いる等してよい。紐３を、鎖等にしてもよい。
【００２７】
また、キャップ本体１に連結した紐３の端部は、他の例として、ポット本体５を収納する収納体に連結してもよい。
【図面の簡単な説明】
【図１】容器用キャップを示す斜視図。
【図２】容器用キャップを用いたポットを示す斜視図。
【図３】容器用キャップを示す縦断面図。
【図４】キャップ本体と留具の分離状態を示す斜視図。
【図５】ポット本体を示す斜視図。
【図６】ポット本体を示す縦断面図。
【図７】従来の容器用キャップを示す縦断面図。
【符号の説明】
１…キャップ本体
２…留具
３…紐
４ａ…係止部
５…ポット本体
６…ポット
７…角溝
【図１】
2004224380.tif 000003
【図２】
2004224380.tif 000004
【図３】
2004224380.tif 000005
【図４】
2004224380.tif 000006
【図５】
2004224380.tif 000007
【図６】
2004224380.tif 000008
【図７】
2004224380.tif 000009